(57)【要約】      （修正有）【課題】各かごの各階・各方向の到着予測時間を一切計算せずに、交通パターンを識別して、各交通パターンにおける必要十分な制御を行うことを、同一のコンピュータで処理することができる安価なエレベータの群管理制御システムを提供する。【解決手段】エレベータの群管理制御システムであって、かご台数を２で割った整数値ｎのセクタに建物のサービス階床を分割するセクタ分割手段と、最下セクタから最上セクタへ順に１からｎ、続いて最上セクタから最下セクタへ順に（ｎ＋１）から２ｎの番号を有する誘導エリアを設定し、前記かご台数が奇数の場合は誘導エリア１〜２ｎの対象から基準階を除いて、更に基準階を対象とする誘導エリア０を設定する誘導エリア設定手段と、誘導エリアにかごを１台ずつ割り当てる誘導エリア割当手段１７と、呼びが発生した場合に誘導エリアを割り当てられた何れかのかごに前記呼びを割り当てる呼び割当手段１８を備える。【選択図】図１
2015117114.tif 000002
【特許請求の範囲】
【請求項１】
群管理下のエレベータのかご台数を２で割った整数値ｎのセクタに建物のサービス階床を分割するセクタ分割手段と、
前記セクタ分割手段によって分割されたセクタについて、最下セクタから最上セクタへ順に１からｎ、続いて最上セクタから最下セクタへ順に（ｎ＋１）から２ｎの番号を有する誘導エリアを設定し、前記かご台数が奇数の場合は誘導エリア１〜２ｎの対象から基準階を除いて、更に基準階を対象とする誘導エリア０を設定する誘導エリア設定手段と、
前記誘導エリア設定手段によって前記かご台数と同数が設定された誘導エリアにかごを１台ずつ割り当てる誘導エリア割当手段と、
呼びが発生した場合に前記誘導エリア割当手段によって誘導エリアを割り当てられた何れかのかごに前記呼びを割り当てる呼び割当手段を備え、
各誘導エリアにかごを１台ずつ割り当てて各かごの運転間隔が等間隔になるように制御することを特徴とするエレベータの群管理制御システム。
【請求項２】
前記誘導エリア割当手段は、
前記かご台数が奇数の場合は先ず基準階にかごがいる時は該かごに、いない時は運転方向が下降方向の最下のかごに誘導エリア０を割り当てた後、前記かご台数が偶数の場合も含めて、まだ誘導エリアが割り当てられていないかごについて、
運転方向が上昇方向または方向無しのかごがｎ台以上の場合は、
運転方向が上昇方向または方向無しの下方の階のかごから上へ順に、足りなければ続いて運転方向が下降方向の上方の階のかごから下へ順に誘導エリアを１から２ｎまで昇順に割り当て、
運転方向が上昇方向または方向無しのかごがｎ台未満の場合は、
運転方向が上昇方向または方向無しの上方の階のかごから下へ順に、続いて運転方向が下降方向の下方の階のかごから上へ順に誘導エリアをｎから１まで降順に割り当て、
次に運転方向が下降方向の上方の階のかごから下へ順に誘導エリアを（ｎ＋１）から２ｎまで昇順に割り当てることを特徴とする請求項１記載のエレベータの群管理制御システム。
【請求項３】
前記呼び割当手段は、
上昇呼びについては、
該呼びの発生階が属する０〜ｎの範囲内の誘導エリアを割り当てられたかごの先行階以上を発生階とする呼びは該かごに割り当て、
該先行階より下を発生階とする呼びは該かごの一つ前の誘導エリア（ただし、前記かご台数が偶数で該発生階が属する誘導エリアが誘導エリア１だった場合は誘導エリア２ｎ、前記かご台数が奇数で該発生階が属する誘導エリアが誘導エリア０だった場合は誘導エリア２ｎ）を割り当てられたかごに割り当て、
下降呼びについては、
該呼びの発生階が属する（ｎ＋１）〜２ｎの範囲内の誘導エリアを割り当てられたかごの先行階以下を発生階とする呼びは該かごに割り当て、
該先行階より上を発生階とする呼びは該かごの一つ前の誘導エリアを割り当てられたかごに割り当てることを特徴とする請求項１または２に記載のエレベータの群管理制御システム。
【請求項４】
複数のかごが存在する誘導エリアｘを探索する第１の探索手段と、
かごが存在しない誘導エリアｙを探索する第２の探索手段と、
かごが存在しない誘導エリアの数ｍを算出する算出手段と、
複数のかごが存在する誘導エリアが発生した場合に各かごに割り当てられていた誘導エリアをリセットするリセット手段と、
ｘが０の場合は、
基準階に存在する号機番号の小さいかごから順に誘導エリアを０から昇順に割り当て、
次に残っている誘導エリアを運転方向が上昇方向または方向無しの基準階を除く下方の階のかごから上へ順に、足りなければ続いて運転方向が下降方向の上方の階のかごから下へ順に誘導エリアを２ｎまで昇順に割り当て、
ｘが１以上ｎ以下かつｘより小のｙが存在しない場合は、
前記かご台数が偶数の場合は１、奇数の場合は０から、運転方向が上昇方向または方向無しの下方の階のかごから上へ順に、足りなければ続いて運転方向が下降方向の上方の階のかごから下へ順に誘導エリアを２ｎまで昇順に割り当て、
ｘが１以上ｎ以下かつｘより小のｙが存在する場合、またはｘがｎより大の場合は、
前記かご台数が奇数の場合は先ず基準階にかごがいる時は該かごに、いない時は運転方向が下降方向の最下のかごに誘導エリア０を割り当てた後、
前記かご台数が偶数の場合も含めてまだ誘導エリアを割り当てられていない運転方向が下降方向の下方の階のかごから上へ順に、足りなければ続いて運転方向が上昇方向または方向無しの上方の階のかごから下へ順に誘導エリアをｍから１まで降順に割り当て、
次にまだ誘導エリアを割り当てられていない運転方向が上昇方向または方向無しの下方の階のかごから上へ順に、足りなければ続いて運転方向が下降方向の上方の階のかごから下へ順に誘導エリアを（ｍ＋１）から２ｎまで昇順に割り当てる誘導エリア再割当手段を更に備え、
複数のかごが存在する誘導エリアが発生した場合に各誘導エリアの割り当て台数が１台になるように誘導エリアの割り当てを見直すことを特徴とする請求項１ないし３に記載のエレベータの群管理制御システム。
【請求項５】
最尤法を用いて各方向の集中率を算出する各方向集中率算出手段と、
基準階を除くサービス階床数、基準階以外で発生する乗り場呼びの数のサンプル値の平均、及びかご呼びの数のサンプル値の平均を基に基準階で乗車または降車する割合を算出する基準階乗降率算出手段と、
前記各方向集中率算出手段及び基準階乗降率算出手段によって算出された値に基いて交通パターンを識別する交通パターン識別手段を更に備えたことを特徴とする請求項１ないし４に記載のエレベータの群管理制御システム。
【発明の詳細な説明】
【技術分野】
【０００１】
本発明は、エレベータの群管理制御システムに係り、特に、かごを効率よく誘導する等間隔制御を備えたエレベータの群管理制御システムに関する。
【背景技術】
【０００２】
従来、エレベータ群管理制御システムはリレーシーケンスで実現され、時間帯毎に想定される交通パターンに適した制御が行われていた。
その後、時間帯で制御するのではなく、交通パターンをパターン認識の技術を用いて識別するものが出現した。ただし、リレーシーケンスはパターン認識には適さないので、交通パターン認識装置が別に設置され、該装置で識別された交通パターンに応じてリレーシーケンスで群管理制御するようになった。
【０００３】
そして、エレベータの群管理制御をコンピュータで行うようになると、ビル内の交通需要の変化に応じて、交通パターンと交通量に応じた柔軟な制御を行い、輸送効率を向上させるものが出現し、平均待ち時間を最小にするなど評価関数を最小にするように呼びを各かごに割り当てる呼び割り当て方式が一般的になった。
例えば、交通状態や交通量に応じた柔軟な制御を行い、輸送効率を向上させることを目的として、交通パターンとエレベータの制御手段とを関連付ける群管理ルール群の中から識別された交通パターンに基づき最適なルールを選択する最適ルール選択手段と、その最適ルール選択手段により選択されたルールに指定されている制御手順に従って新規ホール呼びに対する割当号機を決定する割当号機決定手段を有し、さらには日々のエレベータ制御結果を解析，学習することにより、群管理ルール群を自動的に修正し、また群管理ルールの生成・削除を行う修正手段を備えたエレベータ群管理制御装置が提供されている。（特許文献１を参照）
このようなコンピュータによる群管理制御では、交通パターン認識装置を別に設置して交通パターンの識別を行う必要は無くなった。
【０００４】
ところで、エレベータの乗客のＡＷＴ平均待ち時間は、運転間隔が均等な時に最小になる。平均一周時間をＲＴＴ、かごの台数をｃ、運転間隔の確率分布をアーラン分布とした時に、平均運転間隔ＡＩは、平均一周時間ＲＴＴから、ＲＴＴ／ｃで求まる。積み残しが無視できる場合、乗客の平均待ち時間ＡＷＴはＡＩ（１＋１／ｋ）／２となる。ｋは、運転間隔の確率分布をアーラン分布で表現した場合の位相であり、ｋは等間隔の時に∞、等間隔制御を行わずに運転間隔がランダムになるとｋ≦１となる。従って、乗客の平均待ち時間ＡＷＴは、等間隔の時に最小（ＡＩ／２）となる。
また、２台の場合は、２つの運転間隔Ｔ1とＴ2があるが、単位時間当たりに到着する人数をλとすると、Ｔ1内に到着した乗客(平均到着人数λＴ1）の平均待ち時間はＴ1／２であり、Ｔ２内に到着した乗客(平均到着人数λＴ2）の平均待ち時間はＴ2／２であり、平均待ち時間は、（λＴ12／２＋λＴ22／２）／λ（Ｔ1＋Ｔ2）＝(Ｔ12＋Ｔ22) ／２(Ｔ1＋Ｔ2)となる。Ｔ12＋Ｔ22≧２Ｔ1Ｔ2であり、等号が成り立つのは、Ｔ1＝Ｔ2の時であるから、等間隔、即ちＴ1＝Ｔ2の時に平均待ち時間が最小になる。
【０００５】
エレベータの乗客の平均待ち時間は運転間隔が均等な時に最小になるため、従来、かご呼びの割り当てについては、呼びを各かごに仮割り当てした場合の各かごの各階・各方向の到着予想時間を計算して、予測される平均待ち時間が短く、運転間隔が等間隔になるように制御してきた。
例えば、各エレベータかごの間隔（時間的間隔）を長期にかつ安定して等間隔状態に保つことを可能とすることを目的として、ビルの複数階床を運行する複数のエレベータかごを制御するエレベータの群管理システムにおいて、現時点から将来方向の基準時間までを調整エリアとし、各エレベータかごを調整エリアで将来的に目指すべき状態となるように誘導するエレベータの群管理システムが提供されている。（特許文献２を参照）
【先行技術文献】
【特許文献】
【０００６】
【特許文献１】特開平６−１０７３８１号公報
【特許文献２】特開２００８−５０１７１号公報
【発明の概要】
【発明が解決しようとする課題】
【０００７】
しかし、将来の呼びの発生について、その発生階、行先方向、時刻を正確に予測することは不可能であるので、エレベータの運転も予測できず、よって将来のエレベータの運転間隔も正確に予測することは困難である。
もしエレベータのかごの減速点の手前で呼びが発生した場合、その呼びに該かごは応答するが、減速点を通過した後に呼びが発生した場合は、その呼びに該かごは応答できない。つまり、エレベータの運転内容は、かごの呼びの発生時が減速点通過時の前かどうかで大きく変化するので、正確に等間隔制御しようとしても現実的には困難である。
正確な等間隔制御は現実的に困難であるにもかからわらず、将来の呼びの発生についてあえて発生階、行先方向、時刻を少しでも精度良く予測して制御しようとすると、膨大な量の計算をＤＳＰ（Ｄｉｇｉｔａｌ  Ｓｉｇｎａｌ  Ｐｒｏｃｅｓｓｏｒ）などを活用して実施しなければならず、高機能で高価なコンピュータシステムが必要になるという問題がある。
そこで、本発明の目的は、各かごの各階・各方向の到着予測時間を一切計算せずに、交通パターンを識別して、各交通パターンにおける必要十分な制御を行うことを、同一のコンピュータで処理することができる安価なエレベータの群管理制御システムを提供することにある。
【課題を解決するための手段】
【０００８】
上記の課題を解決するために請求項１記載の発明は、エレベータの群管理制御システムであって、群管理下のエレベータのかご台数を２で割った整数値ｎのセクタに建物のサービス階床を分割するセクタ分割手段と、前記セクタ分割手段によって分割されたセクタについて、最下セクタから最上セクタへ順に１からｎ、続いて最上セクタから最下セクタへ順に（ｎ＋１）から２ｎの番号を有する誘導エリアを設定し、前記かご台数が奇数の場合は誘導エリア１〜２ｎの対象から基準階を除いて、更に基準階を対象とする誘導エリア０を設定する誘導エリア設定手段と、前記誘導エリア設定手段によって前記かご台数と同数が設定された誘導エリアにかごを１台ずつ割り当てる誘導エリア割当手段と、呼びが発生した場合に前記誘導エリア割当手段によって誘導エリアを割り当てられた何れかのかごに前記呼びを割り当てる呼び割当手段を備え、各誘導エリアにかごを１台ずつ割り当てて各かごの運転間隔が等間隔になるように制御することを特徴とする。
【０００９】
請求項２記載の発明は、前記誘導エリア割当手段は、前記かご台数が奇数の場合は先ず基準階にかごがいる時は該かごに、いない時は運転方向が下降方向の最下のかごに誘導エリア０を割り当てた後、前記かご台数が偶数の場合も含めて、まだ誘導エリアが割り当てられていないかごについて、運転方向が上昇方向または方向無しのかごがｎ台以上の場合は、運転方向が上昇方向または方向無しの下方の階のかごから上へ順に、足りなければ続いて運転方向が下降方向の上方の階のかごから下へ順に誘導エリアを１から２ｎまで昇順に割り当て、運転方向が上昇方向または方向無しのかごがｎ台未満の場合は、運転方向が上昇方向または方向無しの上方の階のかごから下へ順に、続いて運転方向が下降方向の下方の階のかごから上へ順に誘導エリアをｎから１まで降順に割り当て、次に運転方向が下降方向の上方の階のかごから下へ順に誘導エリアを（ｎ＋１）から２ｎまで昇順に割り当てることを特徴とする。
【００１０】
請求項３記載の発明は、前記呼び割当手段は、上昇呼びについては、該呼びの発生階が属する０〜ｎの範囲内の誘導エリアを割り当てられたかごの先行階以上を発生階とする呼びは該かごに割り当て、該先行階より下を発生階とする呼びは該かごの一つ前の誘導エリア（ただし、前記かご台数が偶数で該発生階が属する誘導エリアが誘導エリア１だった場合は誘導エリア２ｎ、前記かご台数が奇数で該発生階が属する誘導エリアが誘導エリア０だった場合は誘導エリア２ｎ）を割り当てられたかごに割り当て、下降呼びについては、該呼びの発生階が属する（ｎ＋１）〜２ｎの範囲内の誘導エリアを割り当てられたかごの先行階以下を発生階とする呼びは該かごに割り当て、該先行階より上を発生階とする呼びは該かごの一つ前の誘導エリアを割り当てられたかごに割り当てることを特徴とする。
【００１１】
請求項４記載の発明は、複数のかごが存在する誘導エリアｘを探索する第１の探索手段と、かごが存在しない誘導エリアｙを探索する第２の探索手段と、かごが存在しない誘導エリアの数ｍを算出する算出手段と、複数のかごが存在する誘導エリアが発生した場合に各かごに割り当てられていた誘導エリアをリセットするリセット手段と、ｘが０の場合は、基準階に存在する号機番号の小さいかごから順に誘導エリアを０から昇順に割り当て、
次に残っている誘導エリアを運転方向が上昇方向または方向無しの基準階を除く下方の階のかごから上へ順に、足りなければ続いて運転方向が下降方向の上方の階のかごから下へ順に誘導エリアを２ｎまで昇順に割り当て、ｘが１以上ｎ以下かつｘより小のｙが存在しない場合は、前記かご台数が偶数の場合は１、奇数の場合は０から、運転方向が上昇方向または方向無しの下方の階のかごから上へ順に、足りなければ続いて運転方向が下降方向の上方の階のかごから下へ順に誘導エリアを２ｎまで昇順に割り当て、ｘが１以上ｎ以下かつｘより小のｙが存在する場合、またはｘがｎより大の場合は、前記かご台数が奇数の場合は先ず基準階にかごがいる時は該かごに、いない時は運転方向が下降方向の最下のかごに誘導エリア０を割り当てた後、前記かご台数が偶数の場合も含めてまだ誘導エリアを割り当てられていない運転方向が下降方向の下方の階のかごから上へ順に、足りなければ続いて運転方向が上昇方向または方向無しの上方の階のかごから下へ順に誘導エリアをｍから１まで降順に割り当て、次にまだ誘導エリアを割り当てられていない運転方向が上昇方向または方向無しの下方の階のかごから上へ順に、足りなければ続いて運転方向が下降方向の上方の階のかごから下へ順に誘導エリアを（ｍ＋１）から２ｎまで昇順に割り当てる誘導エリア再割当手段を更に備え、複数のかごが存在する誘導エリアが発生した場合に各誘導エリアの割り当て台数が１台になるように誘導エリアの割り当てを見直すことを特徴とする。
【００１２】
請求項５記載の発明は、最尤法を用いて各方向の集中率を算出する各方向集中率算出手段と、基準階を除くサービス階床数、基準階以外で発生する乗り場呼びの数のサンプル値の平均、及びかご呼びの数のサンプル値の平均を基に基準階で乗車または降車する割合を算出する基準階乗降率算出手段と、前記各方向集中率算出手段及び基準階乗降率算出手段によって算出された値に基いて交通パターンを識別する交通パターン識別手段を更に備えたことを特徴とする。
【発明の効果】
【００１３】
本願発明によれば、第１に、ビル内の交通需要が変化しても、交通パターンの特徴を活用して、エレベータの平均一周時間ＲＴＴを短くすることにより、エレベータの輸送効率を向上させることができるという効果がある。
第２に、交通パターンを識別して各交通パターンにおける必要十分な制御を行うことを、同一のコンピュータで処理するので、エレベータの群管理制御装置を安価に実現できるという効果がある。
【図面の簡単な説明】
【００１４】
【図１】群管理制御装置の内部構成を示すブロック図である。
【図２】各エレベータの号機制御装置の内部構成を示すブロック図である。
【図３】開始時の誘導エリアの割り当て処理を示したフローチャートである。
【図４】かごが複数の誘導エリアが発生した時の誘導エリアの再割り当て処理を示したフローチャートである。
【発明を実施するための形態】
【００１５】
以下、図面を参照しながら、本発明を実施するための形態について詳しく説明する。
【実施例１】
【００１６】
図１は、群管理制御装置の内部構成を示すブロック図である。群管理制御装置は、交通パターンを識別する交通パターン識別部１０、行先方向を入力する行先方向入力部１１、群管理制御装置が故障などで休止しているかどうかを検出する運転休止検出部１２、号機制御装置との通信を行う通信部１３、各種の入力信号を元に制御を行う制御部１４、行先階呼びなどの情報が記憶されている記憶部１５、時間を計時する計時部１６、誘導エリアの割り当てを行う誘導エリア割当部１７、呼びの割り当てを行う呼び割当部１８、エレベータホールなどに設けられて情報を表示する情報出力部１９などから構成されている。
【００１７】
図２は、各エレベータの号機制御装置の内部構成を示すブロック図である。号機制御装置は、かごの位置を検出するかご位置検出部２１、かごの移動方向である行先方向を検出するかご方向検出部２２、かごの移動速度を検出するかご速度検出部２３、号機制御装置が故障などで休止しているかどうかを検出する運転休止検出部２４、かごが応答する呼びがなくなり乗り捨てられた状態を検出する空かご検出部２５、群管理制御装置との通信を行う通信部２６、各種の入力信号を元に制御を行う制御部２７、行先階呼びなどの情報が記憶されている記憶部２８、時間を計時する計時部２９、エレベータの駆動源であるモータを駆動する駆動部３０、ブレーキを働かせることによってモータの回転を制動する制動部３１、行先階を入力する行先階入力部３２、かご内などに設けられて情報を表示する情報出力部３３などから構成されている。
【００１８】
行先方向入力部１１は、行先方向入力手段であって、各階床に設けられ、具体的には、かごが停止する階の２台のエレベータの出入り口の間などに設置される。行先方向入力部１１は、例えばタッチパネルによって構成され、液晶ディスプレイなどの表示画面に情報を表示することができる表示部と、表示画面に表示された操作ボタンを利用者が触ることによって、触られた操作ボタンに対応する入力情報を入力することができる入力部とを有する。
【００１９】
行先階入力部３２は、行先階入力手段であって、かご内に設けられ、例えばタッチパネルによって構成され、液晶ディスプレイなどの表示画面に情報を表示することができる表示部と、表示画面に表示された操作ボタンを利用者が触ることによって、触られた操作ボタンに対応する入力情報を入力することができる入力部とを有する。行先階入力部３２の入力部、つまりタッチパネルに表示される操作ボタンは、少なくとも行先階を選択するための行先階選択ボタンを含み、好ましくは、扉が開いている時間を延長するための開延長ボタン、各種設定をする設定画面を選択する画面を表示させるためのメニュー表示ボタン、及びメニューの中の項目を選択するためのメニュー選択ボタンを含む。
【００２０】
記憶部１５及び２８は、記憶手段であって、例えば半導体メモリあるいは磁気ディスク装置などの記憶装置によって構成される。
記憶部１５は、行先方向入力部１１によって入力された行先方向を、入力された方向及び入力された時刻と関連付けて記憶したり、出発階、未応答や応答中などの応答状態、乗車や降車などの乗降状態などに関する情報を記憶する。
また、記憶部１５または２８に記憶される情報には、制御部１４または２７によって実行されるプログラム、保守のために用いられる保守情報、建物を複数のセクタに分割するためのセクタ分割情報、及び誘導エリアの設定や割り当てに関する情報なども含む。計時部１６または２９は、時間を計時して、制御部１４または２７からの指令に基づいて、現在時間に基づく情報を制御部１４または２７に出力する。
【００２１】
情報出力部１９に表示される表示情報は、例えば、かごの状況に関する情報であり、かごの到着の予告を示す到着予告情報、開いている扉が閉じるまでの時間を表す戸開待機時間情報、移動中のかごが現在位置している階を示す現在階情報、行先の停止予定階を示す行先階情報、かごが停止している階を示す停止階情報、扉が複数ある場合その複数の扉の内、どの扉が開いているかを示す戸開方向情報、故障に関する故障情報、及び保守のために用いられる保守情報などを含む。
【００２２】
情報出力部３３は、例えば各種の情報を表示する案内表示手段によって実現される。案内表示手段が出力する情報として、移動中のかごが現在位置している階を示す現在階情報、行先の停止予定階を示す行先階情報、故障に関する故障情報、及び保守のために用いられる保守情報を含む。
【００２３】
次に、交通パターン識別部１０における交通パターンの識別について、説明する。
交通パターンの識別において制御に活かすために重要なのは、乗合運転の要否を判断するための集中率、一方向交通・二方向交通、基準階での乗降割合などを明確にして、到着予想時間を計算せずに等間隔制御を可能にする交通パターンを識別することである。
本実施例では、ＩＣＲＡ法を用いた基準階乗降率の推定と最尤推定法を用いた各方向の乗客の集中率の推定を採用することによって，交通パターンの識別をＰＬＣ（Ｐｒｏｇｒａｍｍａｂｌｅ  Ｌｏｇｉｃ  Ｃｏｎｔｒｏｌｌｅｒ）でもできるようにしている。なお、誘導等間隔制御方式によって，呼びの発生がランダムな平常時・混雑時の等間隔制御もＰＬＣで実現する。
【００２４】
＜乗合運転の必然性＞
ところで、エレベータが乗客一人ずつ個別に輸送すると、一人を輸送するために、かごが現在いる階から乗客の乗車階までの運転と乗車階から降車階までの運転の合わせて２回の運転（２回の戸開閉を含む）が必要になり、乗客一人当たり少なくとも２０秒のサービス時間が必要になる。従って、乗合運転しない場合は、単位時間当たりに輸送できる人数μは１／２０人未満になる。
一方、平常時には、上昇方向及び下降方向共に集中率３％の交通量があるとされている。なお、集中率は、５分間に到着する乗客数の居住人口に占める割合（百分率）である。
通常は、概ね、居住人口２５０人当たり１台のエレベータが設置されるので、平常時に各方向の単位時間当たりに到着する人数λ／２は１／４０人となり、両方向合わせると、単位時間当たりに到着する人数λは１／２０人となる。平衡条件はλ＜μであり、平衡条件を満たさないと乗り場の待ち客数は時間と共に増加して、待ち客が乗り場に溢れることになる。
そのために、平常時以上の交通量の時は、乗合運転をして一人当たりのサービス時間を短くして、μ＞λを満たさざるを得なくなる。因みに、建物の階床数は固定なので、乗客数が多くなるほどμが大きくなる。なお、ｒを一方向の平均乗車人数とすると、μ＝２ｒ／ＲＴＴである。ＲＴＴは、ｒの増加に伴って停止回数が増加するために増加するが、停止回数はサービス階床数を超えることはないので、ｒが一定数を超えると平均一周時間ＲＴＴの増加は抑制され飽和する。
従って、かごの定員を大きくすることで平衡条件を満たすことができる。この時、待ち客数が増加すると乗客数が増加してμが増加して待ち客数が減少する。待ち客数が減少するとμが減少して待ち客数が増加する。このようにして一定の乗客数の乗合運転で平衡状態になって安定することになる。
【００２５】
乗客がポワソン到着する時、ある時間間隔の平均到着人数がｒ人の時にその時間間隔にｉ人が到着する確率は、ｒi／ｉ！×ｅ-rである。従って、乗客がポワソン到着する時、平均乗客数がｒ人の時にｉ人が乗車する確率は、ｒi／ｉ！×ｅ-rである。
基準階で乗車する乗客の割合をαとすると、基準階以外で乗車する乗客数は（１−α）ｒとなる。着目している階に乗り場呼びが発生しない確率は、全員が着目している階以外で乗車する確率と等しく、乗客の乗車確率はどの階も等しく１／Ｎ（Ｎは基準階を除くサービス階数）とすると、任意の乗客が着目している階で乗車する確率は１／Ｎであり、乗車しない確率は、１−１／Ｎである。
乗客数がｉ人の時に誰も着目している階で乗車しない確率は（１−１／Ｎ）iである。
従って、平均乗車人数がｒで、乗客数がｉの時に、基準階以外の着目している階で乗り場呼びが発生しない確率は、次の数式となる。
【００２６】
【数１】
2015117114.tif 000003
ここで、次の数式が成り立つ。
【００２７】
【数２】
2015117114.tif 000004
そして、基準階以外から乗車する平均乗客数は（１−α）ｒなので、乗り場呼びが発生しない確率はｅ-(1-α)r/Nとなり、乗り場呼びの数の期待値はＮ（１−ｅ-(1-α)r/N）となる。
また、かご呼びは、基準階で乗車する乗客αｒ人と基準階以外で乗車する乗客（１−α）ｒ人の合計ｒ人によって発生するから、かご呼びの数の期待値はＮ（１−ｅ-r/N）となる。
【００２８】
＜ＩＣＲＡ法による基準階乗降率の推定＞
ＩＣＲＡ法は、一方向の運転中の乗り場呼びの数の平均とかご呼びの数の平均から、平均乗車人数ｒと基準階で乗車する乗客の割合αを推定する方法である。
先ず、運転方向が上昇方向について説明する。平均乗車人数をｒ、基準階で乗車する割合をα、基準階を除くサービス階床数をＮとすると、基準階以外で発生する乗り場呼びの数ＮＨの期待値ＥＮＨは、ＥＮＨ＝Ｎ（１−ｅ-(1-α)r/N）であり、かご呼びの数ＮＣの期待値ＥＮＣは、ＥＮＣ＝Ｎ（１−ｅ-r/N)である。従って、ＥＮＨ／Ｎ＝１−ｅ-(1-α)r/N、ＥＮＣ／Ｎ＝１−ｅ-r/Nとなる。ＮＨのサンプル値の平均をＭＨＣ、ＮＣのサンプル値平均をＭＣＣとすると、αとｒについて、１−ＭＨＣ／Ｎ＝ｅ-(1-α)r/Nと１−ＭＣＣ／Ｎ＝ｅ-r/Nの連立方程式が成り立つ。
これらの式の両辺の自然対数をとることで、ｒ／Ｎ＝−ｌｎ（１−ＭＣＣ／Ｎ）、（１−α）ｒ／Ｎ＝−ｌｎ（１−ＭＨＣ／Ｎ）の連立方程式が成り立つ。ただし、ｌｎは、自然対数を表わす。これを解くと、αについては、以下のように求まる。
（１−α）＝ｌｎ（１−ＭＨＣ／Ｎ）／ｌｎ（１−ＭＣＣ／Ｎ）となる。従って、α＝１−ｌｎ（１−ＭＨＣ／Ｎ）／ｌｎ（１−ＭＣＣ／Ｎ）である。また、ｒ＝−Ｎｌｎ（１−ＭＣＣ／Ｎ）である。
次に、運転方向が下降方向について説明する。平均乗車人数をｒ、基準階で降車する割合をα、基準階を除くサービス階床数をＮとすると、基準階以外のかご呼びの数ＮＣの期待値ＥＮＣは、ＥＮＣ＝Ｎ（１−ｅ-(1-α)r/N）であり、乗り場呼びの数ＮＨの期待値ＥＮＨは、ＥＮＨ＝Ｎ（１−ｅ-r/N)である。
従って、ＥＮＣ／Ｎ＝１−ｅ-(1-α)r/N、ＥＮＨ／Ｎ＝1−ｅ-r/Nとなる。ＮＨのサンプル値の平均をＭＨＣ、ＮＣのサンプル値平均をＭＣＣとすると、αとｒについて、１−ＭＣＣ／Ｎ＝ｅ-(1-α)r/N、（１−ＭＨＣ／Ｎ）＝ｅ-r/Nの連立方程式が成り立つ。
これらの式の両辺の対数をとることで、ｒ／Ｎ＝−ｌｎ（１−ＭＨＣ／Ｎ）、（１−α）ｒ／Ｎ＝−ｌｎ（１−ＭＣＣ／Ｎ）の連立方程式が成り立つ。これを解くと、αについては、以下のように求まる。
（１−α）＝ｌｎ（１−ＭＣＣ／Ｎ）／ｌｎ（１−ＭＨＣ／Ｎ）となる。従って、α＝１−ｌｎ（１−ＭＣＣ／Ｎ）／ｌｎ（１−ＭＨＣ／Ｎ）である。
また、ｒ＝−Ｎｌｎ（１−ＭＨＣ／Ｎ）である。
【００２９】
ところで、このＩＣＲＡ法でも平均乗車人数の推定値から集中率を求めることもできるが、ＩＣＲＡ法は乗り合いを前提としているので、乗り合いが必要でない閑散時を識別する目的では使用できない。
そこで、各方向集中率は、最尤推定法を用いて算出し、乗り合いが前提となる基準階で乗車または降車する割合である基準階乗降率αはＩＣＲＡ法で算出する。
【００３０】
＜最尤法による各方向集中率の推定＞
次に、最尤法による各方向集中率の推定について、説明する。乗客の到着がポワソン分布の場合に平均乗客到着率がλの時、時間ｔの間にｉ人が到着する確率は、（λｔ）i／ｉ！×ｅ-λｔである。従って、ｉ＝０である確率ｆ（ｔ，λ）は、ｅ-λｔである。
乗客が一人も到着しない時間間隔ｔ1、ｔ2、・・・、ｔcが観察された時、尤度関数Ｌ（ｔ,λ）を、Ｌ（ｔ,λ）＝ｆ（ｔ1，λ)×ｆ（ｔ2，λ)×ｆ（ｔ3，λ)×・・・×ｆ（ｔc，λ)とする。この量は標本値が１点の近傍の値をとる確率に比例するから、λの真の値はＬに大きな値を与えると考えられる。そこで、Ｌを最大にするλをλの推定量とみなすことができる。そのようなλは次の最尤方程式を満たす。
【００３１】
【数３】
2015117114.tif 000005
ここで、ｌｏｇＬ（ｔ,λ)=−λ（ｔ1＋ｔ2＋・・・＋ｔc）であり、（ｔ1＋ｔ2＋・・・＋ｔc）＞０であるから、最尤方程式を満たすためには、（ｔ1＋ｔ2＋・・・＋ｔc）＝ｃ／λ、即ち、λ（ｔ1＋ｔ2＋・・・＋ｔc）＝ｃが成り立っていなければならない。つまり、λの最尤推定値は、λ＝ｃ／（ｔ1＋ｔ2＋・・・＋ｔc）である。
集中率は５分間に到着する乗客の居住人口に対する百分率であり、通常は居住人口２５０人当たりのエレベータ設置台数が１台であるから、集中率はλ×３００００／（２５０×設置台数）で算出することができる。乗客が一人も到着しない時間間隔は、呼びが全て無くなった時点から、最初に呼びが登録されるまでの時間間隔として観察・測定できる。
【００３２】
＜交通パターンの識別＞
各方向の集中率、及び基準階での乗降率の値に基いて、交通パターン識別部１０において、閑散時、平常時・混雑時、出勤時、退勤時の何れかの交通パターンに識別する。例えば、次のように交通パターンを識別する。
第１に、運転方向が上昇方向の集中率、運転方向が下降方向の集中率が共に３％未満の場合に、閑散時と判定する。
第２に、運転方向が上昇方向の集中率≒運転方向が下降方向の集中率で共に３％以上６％以下、かつ、 基準階での乗降率α＜０．８の場合に、平常時・混雑時と判定する。
第３に、運転方向が上昇方向の集中率＞運転方向が下降方向の集中率、かつ、基準階での乗降率α≧０．８の場合に、出勤時（アップピーク時）と判定する。
第４に、運転方向が下降方向の集中率＞運転方向が上昇方向の集中率、かつ、基準階での乗降率α≧０．８の場合に、退勤時（ダウンピーク時）と判定する。
【００３３】
＜交通パターン別の制御方法＞
第１に、閑散時について説明する。閑散時は、集中率が低いので、乗り合いしなくても、また呼びが無い間は待機していても平衡条件を満たせる。従って、先ず台数分のゾーンに分割した後、かごをゾーンの中央の階に分散して待機させる。次に、乗り合いの必要がないので、かごが呼びに応答した後は元の待機階に戻って待機し、そして呼びが発生すると、最も近い待機階で待機しているかごに呼びを割り当てる。
第２に、平常時・混雑時について説明する。平常時・混雑時は２方向に同量で乗り合いが必要な交通があり、基準階以外で待つ乗客の割合も半分以上ある。そのため、全てのサービス階で運転間隔が等間隔である必要がある。そこで、かご台数を２で割った整数値ｎのセクタに建物のサービス階床を分割し、運転方向が上昇または下降の方向を考慮したものを誘導エリアを設定する。
例えば、かごが２、３台の場合はセクタ数がセクタ１（Ｓ１）のみの１で、誘導エリア数がセクタ１の運転方向が上昇方向（Ｓ１Ｕ）とセクタ１の運転方向が下降方向（Ｓ１Ｄ）の２となり、各誘導エリアを１台のかごが分担する。ただし、３台の場合は１台が基準階を対象とする誘導エリアを分担する。各誘導エリアを分担するかごが１台なので、かごが偏在することがなく等間隔になる。そして、等間隔になると平均待ち人数が最小になるので、平均乗客数ｒが最小になり、結果としてＲＴＴが最小になる。
第３に、出勤時（アップピーク）について説明する。基準階から上昇する乗客が多数を占める。従って、ＲＴＴを短くして、基準階から上昇する乗客の待ち時間を短縮するために、空かごは基準階に呼び戻す。
第４に、退勤時（ダウンピーク）について説明する。基準階へ下降する乗客が多数を占める。従って、ＲＴＴを短くして、基準階へ下降する乗客の平均待ち時間を短縮するために、空かごは上方階に呼び戻す。
【００３４】
エレベータ群管理システムの乗客の平均待ち時間ＡＷＴは、セレクティブコレクティブで運転方向と同一方向の乗客が乗合運転をする場合、ＡＷＴ＝ＡＩ（１＋１／ｋ）／２＋（ｐ−１）ＡＩである。なお、ＡＩは平均運転間隔、ｋは運転間隔の確率分布をアーラン分布で表現した場合の位相、ｐは乗客が平均何台目に到着するかごに乗車するかを示している。
平均運転間隔ＡＩは、平均一周時間ＲＴＴから、ＡＩ＝（ＲＴＴ／台数）で求まる。ｋは、運転間隔が一定間隔（等間隔）の時にｋ＝∞となり、指数分布の時にｋ＝１となり、運転間隔が変動して一様分布に近づくとｋ＜１となる。ｐは、通過されたり積み残されたりすることなく、必ず１台目のかごに乗車できる場合にｐ＝１となる。
従って、乗り合いが必要な交通量において平均待ち時間を短くするためには、ＲＴＴを短くする、運転間隔を等間隔にする、通過や積み残しをしないことを念頭において制御を行う必要がある。
【００３５】
閑散時以外は、乗客の平均待ち時間はかごの運転間隔が等間隔の時に最小となるが，各階でのかごの到着予想時刻を計算する従来方式では、呼びを仮割り当てする組み合わせの数が多いために計算量が膨大となるために呼び割り当て制御にも高機能のコンピュータが必要であった。しかし、本実施例では、誘導等間隔制御方式を導入することにより、ＰＬＣを用いて安価に等間隔制御を実現することが可能である。
【００３６】
＜平常時・混雑時の制御＞
平常時・混雑時の制御について、さらに詳しく説明する。平常時・混雑時の制御は、セクタ分割、誘導エリアの設定、誘導エリアの割り当て、呼びの割り当ての順で行われ、各セクタに運転方向が上昇方向のかごと運転方向が下降方向のかごが１台ずついるように割り当てを制御して、運転間隔を等間隔に近づけて平均待ち時間を短縮する。
運転間隔が長い、即ち平均待ち時間が長いと、エレベータホールには多くの乗客が到着する。一方、運転間隔が短い、即ち平均待ち時間が短いと、到着する乗客は少ない。そのため、トータルの乗客の平均待ち時間は、運転間隔が等間隔になった時に最小になる。また、呼びの割り当て方を工夫するだけで運転間隔を維持することによって、出発管制の導入などによってＲＴＴを悪化させてしまうこともなく、従って、平均運転間隔を維持したままでｋを大きくすることによって、平均待ち時間を短縮することが可能である。
【００３７】
＜セクタ分割＞
先ず、セクタ分割について説明する。
群管理下のエレベータのかご台数を２で割った整数値ｎのセクタに建物のサービス階床を分割する。つまり、かご台数が偶数の場合はかご台数／２、かご台数が奇数の場合は(かご台数−１)／２のセクタに建物のサービス階床を分割する。ここでセクタ番号は、セクタ数がｎの場合、最下セクタから最上セクタまで順に１〜ｎとなる。
例えば、群管理制御下のエレベータ台数が４台の場合は、セクタ数が２となる。６階建ての建物であった場合は、１階から３階までがセクタ１（Ｓ１）、４階から６階までがセクタ２（Ｓ２）などと分割され、そのセクタ分割情報は、記憶部１５または２８に記憶される。
次に、エレベータ台数が７台の場合は、セクタ数が３となる。１０階建ての建物であった場合は、１階から４階までがセクタ１（Ｓ１）、５階から７階までがセクタ２（Ｓ２）、８階から１０階までがセクタ３（Ｓ３）などと分割され、このセクタ分割情報は、記憶部１５または２８に記憶される。
【００３８】
＜誘導エリアの設定＞
セクタ分割によって分割されたセクタについて、最下セクタから最上セクタへ順に１からｎ、続いて最上セクタから最下セクタへ順に（ｎ＋１）から２ｎの番号を有する誘導エリアを設定する。この誘導エリアの設定情報は、記憶部１５または２８に記憶される。ただし、かご台数が奇数の場合は誘導エリア１〜２ｎの対象から基準階を除いて、更に基準階を対象とする誘導エリア０を設定する。
例えば、群管理制御下のエレベータ台数が４台、即ちセクタ数が２で６階建ての建物の１階から３階までがセクタ１、４階から６階までがセクタ２と分割された場合、先ず下から上へ順に、セクタ１に誘導エリア１，セクタ２に誘導エリア２を設定し、次に、上から下へ順に、セクタ２に誘導エリア３，セクタ１に誘導エリア４を設定する。その誘導エリアの設定情報は、記憶部１５または２８に記憶される。
次に、群管理制御下のエレベータ台数が７台、即ちセクタ数が３で１０階建ての建物の１階から４階までがセクタ１、５階から７階までがセクタ２、８階から１０階までがセクタ３と分割された場合、先ず下から上へ順に、セクタ１に誘導エリア１，セクタ２に誘導エリア２，セクタ３に誘導エリア３を設定し、次に、上から下へ順に、セクタ３に誘導エリア４，セクタ２に誘導エリア５，セクタ１に誘導エリア６を設定する。
ただし、セクタ１の最下階である１階が基準階である場合は、運転方向が上昇方向の誘導エリア１、運転方向が下降方向の誘導エリア６の対象から１階を除き、基準階である１階を対象として誘導エリア０を設定する。
【００３９】
＜誘導エリアの割り当て＞
誘導エリア割当部１７は、群管理下のエレベータのかご台数と同数が設定された誘導エリア毎に、かごを１台ずつ割り当てる。各セクタには、２台のかご、言い換えると運転方向が上昇方向と、運転方向が下降方向を担当する各１台のかごが割り当てられ。そのため、等間隔制御が実現されている定常状態では、平常時・混雑時は運転方向が上昇方向の交通量と運転方向が下降方向の交通量が同量あるため、かご台数が奇数時の基準階のかごを除くと、各セクタ内には運転方向が上昇方向のかごと運転方向が下降方向のかごが１台ずついることになり、運転方向が上昇方向のかご台数と運転方向が下降方向のかご台数が等しくなる。
【００４０】
セクタ内に運転方向が上昇方向のかごと運転方向が下降方向のかごが１台ずついるように呼び割り当てを利用して誘導することを実現するため、誘導エリア番号と誘導先行階と誘導方向を導入する。
先ず、誘導エリア番号について、セクタ数に応じて具体的に説明する。なお、Ｓ１Ｕはセクタ１の運転方向が上昇方向、Ｓ１Ｄはセクタ１の運転方向が下降方向を意味しており、以下同様である。
セクタ数が１の時、Ｓ１Ｕは誘導エリア１、Ｓ１Ｄは誘導エリア２となる。
セクタ数が２の時、Ｓ１Ｕは誘導エリア１、Ｓ２Ｕは誘導エリア２、Ｓ２Ｄは誘導エリア３、Ｓ１Ｄは誘導エリア４となる。
セクタ数が３の時、Ｓ１Ｕは誘導エリア１、Ｓ２Ｕは誘導エリア２、Ｓ３Ｕは誘導エリア３、Ｓ３Ｄは誘導エリア４、Ｓ２Ｄは誘導エリア５、Ｓ１Ｄは誘導エリア６となる。
セクタ数が４の時、Ｓ１Ｕは誘導エリア１、Ｓ２Ｕは誘導エリア２、Ｓ３Ｕは誘導エリア３、Ｓ４Ｕは誘導エリア４、Ｓ４Ｄは誘導エリア５、Ｓ３Ｄは誘導エリア６、Ｓ２Ｄは誘導エリア７、Ｓ１Ｄは誘導エリア８となる。
ただし、一般に、セクタ数がｎの時、運転方向が上昇方向の誘導エリア番号＝セクタ番号、運転方向が下降方向の誘導エリア番号＝（２ｎ＋１−セクタ番号）となる。ここでセクタ番号は、セクタ数がｎの場合、最下セクタから最上セクタまで順に１〜ｎとなる。
かご台数が奇数の場合は、基準階が運転方向が上昇方向の誘導エリア０となる。なお、基準階に運転方向が下降方向の誘導エリアは存在せず、基準階に割り当てられるかごは誘導エリア０に割り当てられる１台のみである。
【００４１】
次に、群管理下にあるエレベータのかごの台数に応じて、誘導エリアがどのように初期設定されるのかについて、具体的に説明する。
＜台数が１台の場合＞
セクタ分割は行われない。そのため、誘導エリアは設定されない。
＜かご台数が２台の場合＞
かご台数が２台の場合、セクタ数は１である。
先ず、運転方向が上昇方向または方向無しのかごが１台以上いる場合、最下階から最上階まで運転方向が上昇方向（先行階）または方向無し（現在階）で階が一致するかごを探し、見つけた最初のかごの誘導エリアを１とし、誘導方向を上昇方向とする。それより上方の運転方向が上昇方向（先行階）または方向無し（現在階）で階が一致するかご、なければ続いて最上階から最下階まで運転方向が下降方向（先行階）で階が一致するかごを探し、見つけたかごの誘導エリアを２とし、誘導方向を下降方向とする。
次に、運転方向が下降方向のかごが２台いる場合、最下階から最上階まで運転方向が下降方向（先行階）で階が一致するかごを探し、見つけた最初のかごの誘導エリアを１とし、誘導方向を上昇方向とする。そして、それより上方の運転方向が下降方向のかごの誘導エリアを２とし、誘導方向を下降方向とする。
【００４２】
なお、「方向無し」とは、かごの運転方向が未定の状態であり、最終かご呼びに応答して減速する時に、他に呼びが無い場合は方向無しになる。つまり、方向無しの状態は停止中の状態とは限らない。空かごの場合は、減速開始から呼びが割り当てられて方向を持つまでの間、方向無しの状態になる。
また、運転方向とは、次にサービスする方向であり、上昇方向または下降方向の２種類があり、実際に運転している方向である走行方向とは異なる。運転方向の上昇方向または下降方向については、停止前の減速時点で次に運転する方向として決定される。減速時点で次に運転する方向が未定の場合は、方向無しとなる。
「先行階」とは、かごが次にサービス可能な階である。例えば、低速のエレベータでも、１階にいて上昇方向に加速を開始すると、１階はサービスできなくなるので、先行階は２階になる。そして、２階の減速点を通過すると、２階はサービスできなくなるので、先行階は３階になる。高速のエレベータの場合は、１階から加速開始して一定時間経過すると速度指令値が高速化し、２階に減速不可能になって先行階は３階、４階へと移動する。かごが最上階に向けて上昇している時に減速点を過ぎると、走行方向は上昇方向、運転方向は下降方向になる。同様に、かごが最下階に向けて下降している時に減速点を過ぎると、走行方向は下降方向、運転方向は上昇方向になる。
【００４３】
＜かご台数が３台の場合＞
次に、かご台数が３台の場合、セクタ数は１である。
かご台数が奇数なので、先ず基準階にかごがいる時は該かごに、基準階にかごがいない時は運転方向が下降方向の最下のかごに誘導エリア０を割り当てる。
そして、まだ誘導エリアが割り当てられていない運転方向が上昇方向または方向無しのかごが１台以上いる場合、最下階から最上階まで運転方向が上昇方向（先行階）または方向無し（現在階）で階が一致するかごを探し、見つけた最初のかごの誘導エリアを１とし、誘導方向を上昇方向とする。その後、それより上方の運転方向が上昇方向（先行階）または方向無し（現在階）で階が一致するかご、なければ続いて最上階から最下階までにいる運転方向が下降方向（先行階）で階が一致するかごを探し、見つけたかごの誘導エリアを２とする。誘導エリア０のかごは、基準階を分担し、誘導方向を上昇方向とする。
次に、まだ誘導エリアが割り当てられていない運転方向が下降方向のかごが２台いる場合、最下階から最上階まで運転方向が下降方向（先行階）で階が一致するかごを探し、見つけた最初のかごに誘導エリア１を割り当て、誘導方向を上昇方向とする。そして、それより上方の運転方向が下降方向のかごに誘導エリア２を割り当て、誘導方向を下降方向とする。
【００４４】
＜かご台数が４、６または８台の場合＞
かご台数が４台の場合のセクタ数は２、かご台数が６台の場合のセクタ数は３、かご台数が８台の場合のセクタ数は４である。
先ず、運転方向が上昇方向または方向無しのかご台数がｎ台以上いる時、最下階から最上階に向けて運転方向が上昇方向（先行階）または方向無し（現在階）で階が一致するかごを探し、見つけたかごに誘導エリアを１から昇順に割り当てる。もし同一階にかごが複数台いる場合は、号機番号の小さいかごから順に誘導エリアを割り当てる。
続いて、最上階から最下階に向けて運転方向が下降方向(先行階)で階が一致するかごで誘導エリアがまだ割り当てられていないかごを探し、見つけたかごに、残っている誘導エリアを２ｎまで昇順に割り当てる。同一階に複数台いる場合は、号機番号の大きいかごから順に誘導エリアを割り当てる。
【００４５】
次に、運転方向が上昇方向または方向無しのかご台数がｎ台未満の時、最上階から最下階に向けて運転方向が上昇方向（先行階）または方向無し（現在階）で階が一致するかごを探し、見付かれば、見つけたかごに誘導エリアをｎから降順に割り当てる。なお、ｎはセクタ数である。もし同一階にかごが複数台いる場合は、号機番号の大きいかごから順に誘導エリアを割り当てる。そして、運転方向が上昇方向または方向無しのかごだけでは誘導エリア１〜ｎのかごが揃わないため、運転方向が下降方向のかごから補充する必要がある。従って、続いて最下階から最上階に向けて運転方向が下降方向（先行階）で階が一致するかごを探し、誘導エリア１〜ｎの中で残った誘導エリアを１まで降順に割り当てる。
誘導エリアｎから１までのかごが見つかった後は、最上階から最下階に向けて運転方向が下降方向(先行階)で階が一致するかごで誘導エリアがまだ割り当てられていないかごを探し、見つけたかごに誘導エリアを（ｎ＋１）から２ｎまで昇順に割り当てる。もし同一階にかごが複数台いる場合は、号機番号の小さいかごから順に誘導エリアを割り当てる。
【００４６】
＜かご台数が５または７台の場合＞
かご台数が５台の場合のセクタ数は２、かご台数が７台の場合のセクタ数は３である。
かご台数が奇数なので、先ず基準階にかごがいる時は該かごに、基準階にかごがいない時は運転方向が下降方向の最下のかごに誘導エリア０を割り当てる。
そして、まだ誘導エリアが割り当てられていない運転方向が上昇方向または方向無しのかご台数がｎ台以上いる時、最下階から最上階に向けて運転方向が上昇方向（先行階）または方向無し（現在階）で階が一致する誘導エリアがまだ割り当てられていないかごを探し、見つけたかごに誘導エリアを１から２ｎまで昇順に割り当てる。もし同一階にかごが複数台いる場合は、号機番号の小さいかごから順に誘導エリアを割り当てる。
足りなければ、続いて最上階から最下階に向けて運転方向が下降方向(先行階)で階が一致するかごで誘導エリアがまだ割り当てられていないかごを探し、見つけたかごに、残っている誘導エリアを２ｎまで昇順に割り当てる。同一階に複数台いる場合は、号機番号の大きいかごから順に誘導エリアを割り当てる。
【００４７】
次に、まだ誘導エリアが割り当てられていない運転方向が上昇方向または方向無しのかご台数がｎ台未満の時、最上階から最下階に向けて運転方向が上昇方向（先行階）または方向無し（現在階）で階が一致する誘導エリアがまだ割り当てられていないかごを探し、見つけたかごに誘導エリアをｎから降順に割り当てる。なお、ｎはセクタ数である。もし同一階にかごが複数台いる場合は、号機番号の大きいものから順に誘導エリアを割り当てる。そして、運転方向が上昇方向または方向無しのかごだけでは誘導エリア１〜ｎのかごが揃わないため、運転方向が下降方向のかごから補充する必要がある。従って、続いて最下階から最上階に向けて運転方向が下降方向（先行階）で階が一致するかごを探し、誘導エリア１〜ｎの中で残った誘導エリアを１まで降順に割り当てる。
誘導エリアｎから１までのかごが見つかった後は、最上階から最下階に向けて運転方向が下降方向(先行階)で階が一致するかごで誘導エリアがまだ割り当てられていないかごを探し、見つけたかごに誘導エリアを（ｎ＋１）から２ｎまで昇順に割り当てる。もし同一階にかごが複数台いる場合は、号機番号の小さいかごから順に誘導エリアを割り当てる。
【００４８】
図３は、開始時の誘導エリアの割り当て処理を示したフローチャートである。
実施の開始後（ステップＳ１０１）、群管理下のエレベータのかご台数が奇数かどうかを判断する（ステップＳ１０２）。
もし、かご台数が奇数でなかった場合は、判断結果は「ＮＯ」となり、ステップＳ１０４へ進む。
一方、かご台数が奇数だった場合は、判断結果は「ＹＥＳ」となり、基準階にかごがいる時は該かごに、基準階にかごがいない時は運転方向が下降方向の最下のかごに、誘導エリア割当部１７により、誘導エリア０を割り当てる（ステップＳ１０３）。
次に、かご台数が偶数の場合も含めて、まだ誘導エリアが割り当てられていないかごについて、かご位置検出部２１、かご方向検出部２２、及び空かご検出部２５などの情報を基に制御部１４により、運転方向が上昇方向または方向無しのかごの台数がｎ台以上かどうかを判断する（ステップＳ１０４）。
もし、運転方向が上昇方向または方向無しのかごの台数がｎ台以上であった場合は、判断結果は「ＹＥＳ」となり、かご位置検出部２１、かご方向検出部２２、及び空かご検出部２５などの情報を基に誘導エリア割当部１７により、運転方向が上昇方向または方向無しの下方の階のかごから上へ順に、足りなければ続いて運転方向が下降方向の上方の階のかごから下へ順に、まだ誘導エリアが割り当てられていないかごに誘導エリアを１から２ｎまで昇順に割り当て（ステップＳ１０５）、終了となる（ステップＳ１０８）。なお、ｎはセクタ数である。
一方、ステップＳ１０４における判断において運転方向が上昇方向または方向無しのかごの台数がｎ台以上でなかった場合、即ち運転方向が上昇方向または方向無しのかごの台数がｎ台未満の場合は、判断結果は「ＮＯ」となり、かご位置検出部２１、かご方向検出部２２、及び空かご検出部２５などの情報を基に誘導エリア割当部１７により、運転方向が上昇方向または方向無しの上方の階のかごから下へ順に、続いて運転方向が下降方向の下方の階のかごから上へ順に、まだ誘導エリアが割り当てられていないかごに誘導エリアをｎから１まで降順に割り当てる（ステップＳ１０６）。
次に、運転方向が下降方向の上方の階のかごから下へ順に誘導エリアを（ｎ＋１）から２ｎまで昇順に割り当て（ステップＳ１０７）、終了となる（ステップＳ１０８）。
【００４９】
呼び割当部１８における、かごの呼びの割り当てについて説明する。なお、ｎはセクタ数である。
先ず、上昇呼びについて説明する。
上昇呼びの発生階が属する０〜ｎの範囲内の誘導エリアを割り当てられたかごの先行階以上を発生階とする呼びは、該かごに割り当てる。誘導エリア自体は０〜２ｎの範囲内で割り当てられているが、運転方向が上昇方向を担当するのは０〜ｎの範囲内の誘導エリアなので、先ず０〜ｎの範囲内の誘導エリアを割り当てられたかごに割り当て可能ならば該かごに割り当てる。該かごの先行階以上を発生階とする呼びであれば、該かごからみて逆呼びに該当しないからである。
しかし、該かごの先行階より下を発生階とする呼びは、該かごからみて逆呼びに該当するので、該かごの一つ前の誘導エリアを割り当てられたかごに割り当てる。
ただし、かご台数が偶数で該発生階が属する誘導エリアが誘導エリア１だった場合は誘導エリア２ｎ、かご台数が奇数で該発生階が属する誘導エリアが誘導エリア０だった場合は誘導エリア２ｎを割り当てられたかごに割り当てる。本実施例において誘導エリアは、かご台数が偶数の場合は１〜ｎ、かご台数が奇数の場合は０〜ｎの範囲で言わば環状に続いているので、かご台数が偶数の場合の誘導エリア１の一つ前の誘導エリアは誘導エリア２ｎが該当し、かご台数が奇数の場合の誘導エリア０の一つ前の誘導エリアは誘導エリア２ｎが該当する。
【００５０】
次に、下降呼びについて説明する。
下降呼びの発生階が属する（ｎ＋１）〜２ｎの範囲内の誘導エリアを割り当てられたかごの先行階以下を発生階とする呼びは、該かごに割り当てる。運転方向が下降方向を担当するのは（ｎ＋１）〜２ｎの範囲内の誘導エリアなので、先ず（ｎ＋１）〜２ｎの範囲内の誘導エリアを割り当てられたかごに割り当て可能ならば該かごに割り当てる。該かごの先行階以下を発生階とする呼びであれば、該かごからみて逆呼びに該当しないからである。
しかし、該かごの先行階より上を発生階とする呼びは、該かごからみて逆呼びに該当するので、該かごの一つ前の誘導エリアを割り当てられたかごに割り当てる。
【００５１】
より具体的に、かご台数７台、セクタ数３、誘導エリア数７（誘導エリアの範囲は０〜６）、１０階建ての建物でセクタ１が１〜４階、セクタ２が５〜７階、セクタ３が８〜１０階、基準階が１階の場合を例に説明する。
上昇呼びが６階で発生した場合、６階はセクタ２に属し、セクタ２の運転方向が上昇方向の誘導エリアは誘導エリア２であり、誘導エリア２を割り当てられたかごの先行階が５階だった場合は、該呼びは該かごに割り当てる。しかし、誘導エリア２を割り当てられたかごの先行階が７階だった場合は、該呼びは該かごに割り当てず、誘導エリア１を割り当てられたかごに割り当てる。
そして、上昇呼びが１階で発生した場合、１階は基準階なので誘導エリアは誘導エリア０であり、誘導エリア０を割り当てられたかごの先行階が１階だった場合は、該呼びは該かごに割り当てる。しかし、誘導エリア０を割り当てられたかごの先行階が２階だった場合は、該呼びは該かごに割り当てず、誘導エリア６を割り当てられたかごに割り当てる。ここで、誘導エリア０を割り当てられたかごの先行階が２階だった場合とは、基準階の上昇呼びに応じて誘導エリア０のかごが上昇運転を開始し、減速点を過ぎ該かごの先行階が誘導エリア１の２階になった後に、新たな基準階の呼びが発生したような場合である。
次に、下降呼びが１０階で発生した場合、１０階はセクタ３に属し、セクタ３の運転方向が下降方向の誘導エリアは誘導エリア４であり、誘導エリア４を割り当てられたかごの先行階が１０階だった場合は、該呼びは該かごに割り当てる。しかし、誘導エリア４を割り当てられたかごの先行階が９階だった場合は、該呼びは該かごに割り当てず、誘導エリア３を割り当てられたかごに割り当てる。
【００５２】
誘導等間隔制御方式によるエレベータの運行について、群管理下にあるエレベータの台数が４台の場合について説明する。
サービス階は、Ｓ１（下方のセクタ）とＳ２（上方のセクタ）の２セクタに分割され、セクタ数は２である。誘導エリアは、Ｓ１Ｕ（誘導エリア１）、Ｓ２Ｕ（誘導エリア２）、Ｓ２Ｄ（誘導エリア３）、Ｓ１Ｄ（誘導エリア４）の４種類があり、群管理下にある各かごは、Ｓ１Ｕ→Ｓ２Ｕ→Ｓ２Ｄ→Ｓ１Ｄと一周する。
平常時・混雑時には、上昇方向の交通量と下降方向の交通量が等しいから、定常状態では、運転方向が上昇方向のかご台数と運転方向が下降方向のかご台数は等しく、４台の中の２台が運転方向が上昇方向で２台が運転方向が下降方向である。そして、等間隔に制御されていると、１〜４の各誘導エリアにかごがそれぞれ１台ずついて運行することになる。
平常時・混雑時には、運転方向が上昇方向の交通量の半分が基準階（Ｓ１の最下階）から上昇する乗客によるものである。
基準階の呼びが発生すると、基準階にかごがいる時は、そのかごに割り当てる。基準階にかごがいない時は、誘導エリア番号が最大、即ち誘導エリア４（Ｓ１Ｄ）のかごが割り当てられ、このかごが基準階に到着して乗客を乗車させ、運転方向が上昇方向でＳ１Ｕの運行を開始することになり、その際は一時的に、一つの誘導エリア内に２台のかごが存在する状態になる。
【００５３】
誘導エリアが最初に割り当てられて、エレベータが運行を開始した後に、等間隔に乱れが生じて複数のかごが存在する誘導エリアが発生した場合は、全てのかごを台数分の誘導エリアに再割り当てをして過渡状態を解消する。
通常、誘導エリアは、群管理下のエレベータのかご台数が偶数の場合は１、奇数の場合は０から、２ｎまでの範囲にそれぞれ１台ずつ割り当てられているが、過渡的に一つの誘導エリアに複数のかごが存在することがあるからである。
【００５４】
先ず、ある誘導エリア内に２台目以降のかごがどこからやってくるのかについて、かご台数が偶数の場合を例に説明する。
誘導エリア１〜ｎのかごは、誘導エリア番号が大きくなる方向にしか移動しない。そして、逆呼びに応答して方向が反転すると誘導エリア（ｎ＋１）〜２ｎになるが、何れにしても、割り当てられる誘導エリアは誘導エリア番号が大きくなる方向にしか変化しない。
ところが、誘導エリア（ｎ＋１）〜２ｎのかごは、通常は誘導エリア番号が大きくなる方向に移動するが、最終かご呼びに応答して空かご（方向無し）になると、誘導エリア１〜ｎのかごになるので、誘導エリア番号が小さくなる方向にも変化する。
【００５５】
１〜ｎの範囲内のある誘導エリアｘにかごが複数台存在する場合、２台目以降のかごは、第１に背後呼びに応答するために次順の番号の１つ小さい誘導エリアから移動してきた、第２に誘導エリア内のかご呼びに応答するために後方の番号の小さい誘導エリアから移動してきた、第３に誘導エリア（ｎ＋１）〜２ｎから空かごになって移動してきた、の何れかであると考えられる。
第１の場合は、次順の誘導エリア（ｘ−１）にかごがいない。第２の場合は、後方の誘導エリアにかごがいない誘導エリアがある。第３の場合は、誘導エリア（２ｎ＋１−ｘ）にかごがいない。
【００５６】
次に、（ｎ＋１）〜２ｎの範囲内のある誘導エリアｘにかごが複数台存在する場合、２台目以降のかごは、第４に背後呼びに応答するために次順の番号の１つ小さい誘導エリアから移動してきた、第５に誘導エリア内のかご呼びに応答するために後方の番号の小さい誘導エリアから移動してきた、の何れかであると考えられる。
第４の場合は、次順の誘導エリア（ｘ−１）にかごがいない。第５の場合は、後方の誘導エリアにかごがいない誘導エリアがある。
【００５７】
次に、誘導エリアｘに複数台のかごが存在する場合の誘導エリアの割り当ての見直しについて、説明する。なお、ｘは複数のかごが存在する誘導エリア、ｙはかごが存在しない誘導エリア、ｍはかごが存在しない誘導エリアの数である。
第１に、ｘが０の場合は、基準階に存在する号機番号の小さいかごから順に誘導エリアを０から昇順に割り当て、次に運転方向が上昇方向または方向無しの下方の階のかごから上へ順に、足りなければ続いて運転方向が下降方向の上方の階のかごから下へ順に誘導エリアを２ｎまで昇順に誘導エリア割当部１７により割り当てる。
第２に、ｘが１以上ｎ以下、かつｘより小のｙが存在しない場合は、かご台数が偶数の場合は１、奇数の場合は０から、運転方向が上昇方向または方向無しの下方の階のかごから上へ順に、足りなければ続いて運転方向が下降方向の上方の階のかごから下へ順に誘導エリアを２ｎまで昇順に誘導エリア割当部１７により割り当てる。
第３に、ｘが１以上ｎ以下、かつｘより小のｙが存在する場合、またはｘがｎより大の場合は、先ずかご台数が奇数の場合は先ず基準階にかごがいる時は該かごに、基準階にかごがいない時は運転方向が下降方向の最下のかごに誘導エリア０を割り当てる。その後、かご台数が偶数の場合も含めてまだ誘導エリアを割り当てられていない運転方向が下降方向の下方の階のかごから上へ順に、足りなければ続いて運転方向が上昇方向または方向無しの上方の階のかごから下へ順に誘導エリアをｍから１まで降順に割り当て、次にまだ誘導エリアを割り当てられていない運転方向が上昇方向または方向無しの下方の階のかごから上へ順に、足りなければ続いて運転方向が下降方向の上方の階のかごから下へ順に誘導エリアを（ｍ＋１）から２ｎまで昇順に誘導エリア割当部１７により割り当てる。
【００５８】
誘導エリアｘに複数台のかごが存在する場合の誘導エリアの割り当ての見直しは、上記の方法に限られるものではなく、複数のかごが存在する誘導エリアが発生した場合に。次の方法で各誘導エリアの割り当て台数が１台になるように誘導エリアの割り当てを見直しても良い。なお、ｘは複数のかごが存在する誘導エリア、ｙはかごが存在しない誘導エリア、ｍはかごが存在しない誘導エリアの数である点は、上記と同様である。
第１に、ｘが０の場合、即ち基準階のかごが複数存在する場合、基準階にいる号機番号の小さいかごから順に誘導エリアを０から昇順に割り当て、次に残っている誘導エリアを基準階にいるかごを除き、運転方向が上昇方向または方向無しのかごに下方のかごから上へ順に昇順に割り当て、最後に運転方向が下降方向のかごに上方のかごから下へ順に昇順に誘導エリアを２ｎまで誘導エリア割当部１７により割り当てる。
第２に、ｘが１以上ｎ以下かつｘより小のｙが存在しない場合、運転方向が上昇方向または方向無しのかごに下方のかごから上へ順に誘導エリアをかご台数が偶数の場合は１、奇数の場合は０から昇順に割り当て、続いて、運転方向が下降方向のかごに上方のかごから下へ順に２ｎまで昇順に誘導エリアを誘導エリア割当部１７により割り当てる。
第３に、ｘが１以上ｎ以下かつｘより小のｙが存在する場合、運転方向が上昇方向または方向無しのかごに下方のかごから上へ順に誘導エリアを（ｍ＋１）からｎまで昇順に割り当て、次に運転方向が下降方向のかごに下方のかごから上へ順に誘導エリアをｍから１へ降順に割り当てる。そして、運転方向が上昇方向または方向無しのかごに上方のかごから下へ順に誘導エリアを（ｎ＋ｍ）から（ｎ＋１）まで降順に割り当て、最後に誘導エリアに割り当てられていない運転方向が下降方向のかごに上方のかごから下へ順に（ｎ＋ｍ＋１）から２ｎまで昇順に誘導エリアを誘導エリア割当部１７により割り当てる。
第４に、ｘがｎより大の場合、運転方向が上昇方向または方向無しのかごに上方のかごから下へ順に誘導エリアを（ｎ＋ｍ）から（ｎ＋１）まで降順に割り当てる。次に、運転方向が下降方向のかごに上方のかごから下へ順に誘導エリアを（ｎ＋ｍ＋１）から２ｎまで昇順に割り当てる。そして、まだ割り当てられていない運転方向が上昇方向または方向無しのかごに下方のかごから上へ順に誘導エリアを（ｍ＋１）からｎまで昇順に割り当てる。最後に、運転方向が下降方向のかごに下方のかごから上へ順に誘導エリアをｍから１まで降順に誘導エリア割当部１７により割り当てる。
ただし、第３と第４の場合、群管理下のエレベータのかご台数が奇数の場合は、先ず基準階にかごがいる時は該かごに、基準階にかごがいない時は運転方向が下降方向の最下のかごに誘導エリア０を割り当て、その後、かご台数が偶数の場合も含めてまだ誘導エリアを割り当てられていないかごに対して上記の割り当てを行うものとする。
【００５９】
図４は、かごが複数の誘導エリア発生した時の誘導エリアの再割り当て処理を示したフローチャートである。
実施の開始後（ステップＳ２０１）、かご位置検出部２１の情報を基に制御部１４により、複数のかごが存在する誘導エリアｘ、及びかごが存在しない誘導エリアｙを探索する（ステップＳ２０２）。
制御部１４によりかごが存在しない誘導エリアの数ｍを算出する（ステップＳ２０３）。
複数のかごが存在する誘導エリアが発生した場合に、誘導エリア割当部１７によりかごに割り当てられていた誘導エリアをリセットする（ステップＳ２０４）。
次に、複数のかごが存在する誘導エリアｘが０かどうかを制御部１４により判断する（ステップＳ２０５）。
もし、ｘが０でなかった場合は、判断結果は「ＮＯ」となり、ステップＳ２０６へ進む。
一方、ｘが０だった場合は、判断結果は「ＹＥＳ」となり、基準階に存在する号機番号の小さいかごから順に誘導エリアを０から昇順に誘導エリア割当部１７により割り当て、次に運転方向が上昇方向または方向無しの下方の階のかごから上へ順に、足りなければ続いて運転方向が下降方向の上方の階のかごから下へ順に誘導エリアを２ｎまで昇順に誘導エリア割当部１７により割り当て（ステップＳ２０８）、終了となる（ステップＳ２１３）。
次に、複数のかごが存在する誘導エリアｘが１以上ｎ以下、かつｘより小のｙが存在しないかどうかを制御部１４により判断する（ステップＳ２０６）。
もし、ｘが１以上ｎ以下、かつｘより小のｙが存在しない場合は、判断結果は「ＹＥＳ」となり、群管理下のエレベータのかご台数が偶数の場合は１、奇数の場合は０から、運転方向が上昇方向または方向無しの下方の階のかごから上へ順に、足りなければ続いて運転方向が下降方向の上方の階のかごから下へ順に誘導エリアを２ｎまで昇順に誘導エリア割当部１７により割り当て（ステップＳ２０９）、終了となる（ステップＳ２１３）。
一方、ｘが１以上ｎ以下、かつｘより小のｙが存在しない場合に該当しない場合、即ちｘが１以上ｎ以下かつｘより小のｙが存在する場合、またはｘがｎより大の場合は、判断結果は「ＮＯ」となり、群管理下のエレベータのかご台数が奇数かどうかを制御部１４により判断する（ステップＳ２０７）。
もし、かご台数が奇数でなかった場合は、判断結果は「ＮＯ」となり、ステップＳ２１１へ進む。
一方、かご台数が奇数だった場合は、判断結果は「ＹＥＳ」となり、基準階にかごがいる時は該かごに、基準階にかごがいない時は運転方向が下降方向の最下のかごに誘導エリア０を誘導エリア割当部１７により割り当てる（ステップＳ２１０）。
そして、かご台数が偶数の場合も含めて、まだ誘導エリアが割り当てられていない運転方向が下降方向の下方の階のかごから上へ順に、足りなければ続いて運転方向が上昇方向または方向無しの上方の階のかごから下へ順に誘導エリアをｍから１まで降順に誘導エリア割当部１７により割り当てる（ステップＳ２１１）。
次に、まだ誘導エリアを割り当てられていない運転方向が上昇方向または方向無しの下方の階のかごから上へ順に、足りなければ続いて運転方向が下降方向の上方の階のかごから下へ順に誘導エリアを（ｍ＋１）から２ｎまで昇順に誘導エリア割当部１７により割り当て（ステップＳ２１２）、終了となる（ステップＳ２１３）。
【００６０】
なお、図４における実施開始のタイミングは、複数かごの誘導エリアが発生時、及び複数かごの誘導エリアが発生した状態で何れかのかごの位置が変化した時である。
具体的に、かご台数６台、セクタ数３、誘導エリア数６（誘導エリアの範囲は１〜６）、９階建ての建物でセクタ１が１〜３階、セクタ２が４〜６階、セクタ３が７〜９階の場合を例に説明する。
１階にいた誘導エリア１のかごＡが３階で発生した上昇呼びに応じて、３階で乗客をかごに乗せて行先階である９階まで上昇する際に、途中で誘導エリア２の５階にいる方向無しのかごＢ、続いて誘導エリア３の８階にいる方向無しのかごＣを追い越したとする。
この場合にかごＡに割り当てられる誘導エリアは、４階到達時に誘導エリア２、５階到達時に誘導エリア２または３、６階到達時に誘導エリア３、７階到達時に誘導エリア３、８階到達時に誘導エリア３または４、９階到達時に誘導エリア４となる。
そして、５階ではＡとＢの号機番号の大小、８階ではＡとＣの号機番号の大小で誘導エリアが決定される。もし、Ａの号機番号がＢ及びＣより小さかった場合は、かごＡに割り当てられる誘導エリアは５階では誘導エリア２、８階では誘導エリア３となる。
【符号の説明】
【００６１】
１０  交通パターン識別部
１１  行先方向入力部
１２  運転休止検出部
１３、２６  通信部
１４、２７  制御部
１５、２８  記憶部
１６、２９  計時部
１７  誘導エリア割当部
１８  呼び割当部
１９、３３  情報出力部
２１  かご位置検出部
２２  かご方向検出部
２３  かご速度検出部
２４  運転休止検出部
２５  空かご検出部
３０  駆動部
３１  制動部
３２  行先階入力部
【図１】
2015117114.tif 000006
【図２】
2015117114.tif 000007
【図３】
2015117114.tif 000008
【図４】
2015117114.tif 000009